(57)【要約】      （修正有）【課題】筒に巻き取ったテープを所望するテープ長さだけ引き出すに、簡単な構成で故障の少ないテープカッタ装置を提供する。【解決手段】基台５と、テープ１を巻き取った筒２の内径をホルダするテープホルダ３と、前記基台５に前記テープホルダ３の軸を回転可能に支持する支持部５ａと、前記基台５に前記筒２から引き出したテープ１の切断部分を保持しテープ１を切断するカッタ刃５ｃとを備えてテープカッタ装置Ａを形成する。外周に等間隔のギア歯６ａを有するギアを前記テープホルダ３の回転により回転可能に配置し、前記基台５に基端部を取付けて先端部を前記ギアの歯６ａに接触させ揺動する可撓性のストッパー７を配置する。【選択図】図１
0003175682.tif 000002
【実用新案登録請求の範囲】
【請求項１】
基台と、テープを巻き取った筒の内径をホルダするテープホルダと、前記基台に前記テープホルダの軸を回転可能に支持する支持部と、前記基台に前記筒から引き出したテープの切断部分を保持しテープを切断するカッタ刃とを備えたテープカッタ装置であって、外周に等間隔のギア歯を有するギアを前記テープホルダの回転により回転可能に配置し、前記基台に基端部を取付けて先端部を前記ギアのギア歯に接触させ揺動する可撓性のストッパーを配置したことを特徴とするテープカッタ装置。
【請求項２】
請求項１において、前記ギア歯を前記テープホルダに一体配置したことを特徴とするテープカッタ装置。
【請求項３】
請求項２において、前記テープホルダの外周を幅広のギア歯に形成し前記テープホルダのホルダ機能と前記ギアの機能とが兼用となるよう構成したことを特徴とするテープカッタ装置。
【請求項４】
基台と、テープを巻き取った筒の内径をホルダするテープホルダと、前記基台に前記テープホルダの軸を回転可能に支持する支持部と、前記基台に前記筒から引き出したテープの切断部分を保持しテープを切断するカッタ刃とを備えたテープカッタ装置であって、外周に等間隔のギア歯を有する第１ギアと第１ギアと異なるピッチ間隔のギア歯を有する第２ギアを前記テープホルダの回転により回転可能に配置し、前記基台に基端部を取付けて先端部を前記第１ギアまたは前記第２ギアのギア歯に交替的に接触させ揺動する可撓性のストッパーを配置したことを特徴とするテープカッタ装置。
【請求項５】
請求項４において、前記第１ギアのギア歯および前記第２ギアのギア歯を前記テープホルダに一体配置したことを特徴とするテープカッタ装置。
【請求項６】
請求項５において、前記テープホルダの外周を幅広のギア歯に形成し前記テープホルダのホルダ機能と前記第１ギアおよび前記第２ギアの機能とが兼用となるよう構成したことを特徴とするテープカッタ装置。
【請求項７】
基台と、テープを巻き取った筒の内径をホルダするテープホルダと、前記基台に前記テープホルダの軸を回転可能に支持する支持部と、前記基台に回転可能に支持され前記筒から引き出したテープを経過させることで回転するローラと、前記基台に前記筒から引き出したテープの切断部分を保持しテープを切断するカッタ刃とを備えたテープカッタ装置であって、外周に等間隔のギア歯を有するギアを前記ローラの回転により回転可能に配置し、前記基台に基端部を取付けて先端部を前記ギア歯に接触させ揺動する可撓性のストッパーを配置したことを特徴とするテープカッタ装置。
【請求項８】
請求項７において、前記ギア歯を前記ローラに一体配置したことを特徴とするテープカッタ装置。
【請求項９】
請求項８において、前記ローラの外周を幅広のギア歯に形成し前記ローラの機能と前記ギアの機能とが兼用となるよう構成したことを特徴とするテープカッタ装置。
【請求項１０】
基台と、テープを巻き取った筒の内径をホルダするテープホルダと、前記基台に前記テープホルダの軸を回転可能に支持する支持部と、前記基台に回転可能に支持され前記筒から引き出したテープを経過させることで回転するローラと、前記基台に前記筒から引き出したテープの切断部分を保持しテープを切断するカッタ刃とを備えたテープカッタ装置であって、外周に等間隔の歯を有する第１ギア、第１ギアと異なるピッチ間隔のギア歯を有する第２ギアとを前記ローラとの回転により回転可能に配置し、前記基台に基端部を取付けて先端部を前記第１ギアまたは前記第２ギアのギア歯に交替的に接触させ揺動する可撓性のストッパーを配置したことを特徴とするテープカッタ装置。
【請求項１１】
請求項１０において、前記前記ローラに前記第１ギアのギア歯および前記第２ギアのギア歯を一体配置したことを特徴とするテープカッタ装置。
【請求項１２】
請求項１１において、前記ローラの外周を幅広のギア歯に形成し前記ローラの機能と前記第１ギアおよび前記第２ギアの機能とが兼用となるよう構成したことを特徴とするテープカッタ装置。
【請求項１３】
請求項７または請求項１０において、前記ローラの回転軸と前記ギアの回転軸を別々の回転軸とし、それぞれの回転軸間に回転伝達手段を配置するとともに、前記回転伝達手段はローラの回転軸の回転に対してギアの回転軸が少なく回転するよう構成してあることを特徴とするテープカッタ装置。
【考案の詳細な説明】
【技術分野】
【０００１】
筒に巻き取ったテープを所望するテープ長さだけ引き出すことのできるテープカッタ装置に関するものである。
【背景技術】
【０００２】
従来のテープカッタ装置は、所望するテープ長を調節設定するテープ調節機構と、テープを筒から引き出すことでホイールを回転させ、テープ調節機構で設定したテープ長だけホイールを回転させ、設定したテープ長以上はホイールの回転を規制しテープ長を計測するテープ計測機構と、テープ測長の要否を選択しテープ測長を選択したとき設定したテープ長だけホイールを回転させ、テープを切断すると前記規制を解除するテープ切断機構、とを備えている。
【０００３】
このようになっている従来のテープカッタ装置は、テープ調節機構で所望するテープ長を調節設定し、テープを筒から引き出すとテープ計測機構が作用して所望するテープ長だけ引き出すと前記規制によりホイールの回転が停止しそれ以上はテープを筒からテープを引き出すことができなくなる。この時点でテープを切断すると所望のテープ長さを得ることができ、テープ切断機構により前記規制が解除され再び所望するテープ長だけ引き出し可能になる。この動作を繰り返せば所望するテープ長を幾度となく引き出すことができる。（特許文献１）  
【先行技術文献】
【特許文献】
【０００４】
【特許文献１】特開２０１１−４２４４５号公報
【考案の概要】
【考案が解決しようとする課題】
【０００５】
ところで、このような従来のテープカッタ装置は、所望するテープ長を調節設定するテープ調節機構、テープ調節機構で設定したテープ長だけホイールを回転させ、設定したテープ長以上はホイールの回転を規制しテープ長を計測するテープ計測機構、テープ切断機構でテープを切断すると前記規制を解除するテープ切断機構、を備え、各機構は複雑な構造で数多くの部品を使用していることから、コストアップになるとともに、故障発生の要因となる課題を有している。
【０００６】
本考案は、筒に巻き取ったテープを所望するテープ長さだけ引き出すに、簡単な構成で故障の少ないテープカッタ装置を提供するものである。
課題
【課題を解決するための手段】
【０００７】
請求項１に記載の考案は、基台と、テープを巻き取った筒の内径をホルダするテープホルダと、前記基台に前記テープホルダの軸を回転可能に支持する支持部と、前記基台に前記筒から引き出したテープの切断部分を保持しテープを切断するカッタ刃とを備えたテープカッタ装置であって、外周に等間隔のギア歯を有するギアを前記テープホルダの回転により回転可能に配置し、前記基台に基端部を取付けて先端部を前記ギアのギア歯に接触させ揺動する可撓性のストッパーを配置したことを特徴とするテープカッタ装置である。
【０００８】
請求項２に記載の考案は、請求項１において、前記ギア歯を前記テープホルダに一体配置したことを特徴とするテープカッタ装置である。
【０００９】
請求項３に記載の考案は、請求項２において、前記テープホルダの外周を幅広のギア歯に形成し前記テープホルダのホルダ機能と前記ギアの機能とが兼用となるよう構成したことを特徴とするテープカッタ装置である。
【００１０】
請求項４に記載の考案は、基台と、テープを巻き取った筒の内径をホルダするテープホルダと、前記基台に前記テープホルダの軸を回転可能に支持する支持部と、前記基台に前記筒から引き出したテープの切断部分を保持しテープを切断するカッタ刃とを備えたテープカッタ装置であって、外周に等間隔のギア歯を有する第１ギアと第１ギアと異なるピッチ間隔のギア歯を有する第２ギアを前記テープホルダの回転により回転可能に配置し、基台に基端部を取付けて先端部を前記第１ギアまたは前記第２ギアのギア歯に交替的に接触させ揺動する可撓性のストッパーを配置したことを特徴とするテープカッタ装置である。
【００１１】
請求項５に記載の考案は、請求項４において、前記第１ギアのギア歯および前記第２ギアのギア歯を前記テープホルダに一体配置したことを特徴とするテープカッタ装置である。
【００１２】
請求項６に記載の考案は、請求項５において、前記テープホルダの外周を幅広のギア歯に形成し前記テープホルダのホルダ機能と前記第１ギアおよび前記第２ギアの機能とが兼用となるよう構成したことを特徴とするテープカッタ装置である。
【００１３】
請求項７に記載の考案は、基台と、テープを巻き取った筒の内径をホルダするテープホルダと、前記基台に前記テープホルダの軸を回転可能に支持する支持部と、前記基台に回転可能に支持され前記筒から引き出したテープを経過させることで回転するローラと、前記基台に前記筒から引き出したテープの切断部分を保持しテープを切断するカッタ刃とを備えたテープカッタ装置であって、外周に等間隔のギア歯を有するギアを前記ローラの回転により回転可能に配置し、前記基台に基端部を取付けて先端部を前記ギア歯に接触させ揺動する可撓性のストッパーを配置したことを特徴とするテープカッタ装置である。
【００１４】
請求項８に記載の考案は、請求項７において、前記ギア歯を前記ローラに一体配置したことを特徴とするテープカッタ装置である。
【００１５】
請求項９に記載の考案は、請求項８において、前記ローラの外周を幅広のギア歯に形成し前記ローラの機能と前記ギアの機能とが兼用となるよう構成したことを特徴とするテープカッタ装置である。
【００１６】
請求項１０に記載の考案は、基台と、テープを巻き取った筒の内径をホルダするテープホルダと、前記基台に前記テープホルダの軸を回転可能に支持する支持部と、前記基台に回転可能に支持され前記筒から引き出したテープを経過させることで回転するローラと、前記基台に前記筒から引き出したテープの切断部分を保持しテープを切断するカッタ刃とを備えたテープカッタ装置であって、外周に等間隔のギア歯を有する第１ギア、第１ギアと異なるピッチ間隔のギア歯を有する第２ギアとを前記ローラとの回転により回転可能に配置し、前記基台に基端部を取付けて先端部を前記第１ギアまたは前記第２ギアのギア歯に交替的に接触させ揺動する可撓性のストッパーを配置したことを特徴とするテープカッタ装置である。
【００１７】
請求項１１に記載の考案は、請求項１０において、前記前記ローラに前記第１ギアのギア歯および前記第２ギアのギア歯を一体配置したことを特徴とするテープカッタ装置である。
【００１８】
請求項１２に記載の考案は、請求項１１において、前記ローラの外周を幅広のギア歯に形成し前記ローラの機能と前記第１ギアおよび前記第２ギアの機能とが兼用となるよう構成したことを特徴とするテープカッタ装置である。
【００１９】
請求項１３記載の考案は、請求項７または請求項１０において、前記ローラの回転軸と前記ギアの回転軸を別々の回転軸とし、それぞれの回転軸間に回転伝達手段を配置するとともに、前記回転伝達手段はローラの回転軸の回転に対してギアの回転軸が少なく回転するよう構成してあることを特徴とするテープカッタ装置である。
【考案の効果】
【００２０】
請求項１に記載の考案では、テープホルダの回転によりストッパー先端部がギアのギア歯に接触してストッパーを揺動させ、ストッパー先端部がギアのギア歯に衝突して衝突音を出させる。この時ストッパーの１回の衝突音により所定の長さのテープを筒から引き出され、衝突音の回数により所望の量だけテープを筒から引き出すことができ、この時点でカッタ刃によりテープを切断すれば、所望の量だけテープを筒から引き出すことができる。
【００２１】
請求項２に記載の考案では、テープホルダとギア歯を一体形成させているので、樹脂などでテープホルダを形成するときにギア歯も一体に形成するようにすれば、テープホルダとギアを別々に準備しなくてもよく、製作が簡単になり部品点数を少なくすることができる。
【００２２】
請求項３に記載の考案では、テープホルダとギア歯を一体形成させるに、テープホルダの外周を幅広のギア歯に形成しホルダ部分とギア部分の機能が兼用できるように一体形成させているので、樹脂などでテープホルダを形成するときにギア歯を簡単に一体形成させることができ、製作がより簡単になり部品点数を少なくすることができる。
【００２３】
請求項４に記載の考案では、テープホルダの回転により第１ギアと第１ギアと異なるピッチのギア歯を供えた第２ギアを回転可能にし、第１ギアと第２ギアのギア歯に交替的にストッパーを接触させ揺動させることにより、２種類のテープ引き出し量を選択して筒からテープを引き出せることを可能にすることができる。
【００２４】
請求項５に記載の考案では、第１ギアと第２ギアをテープホルダに一体配置するものであるから、テープホルダと第１ギアと第２ギアを別々に準備しなくてもよく、製作が簡単になり部品点数を少なくすることができる。
【００２５】
請求項６に記載の考案では、テープホルダと第１ギアの第１ギア歯と第２ギアの第２ギア歯を一体形成させるに、テープホルダの外周を幅広のギア歯に形成しホルダ部分とギア部分の機能が兼用できるように一体形成させているので、樹脂などでテープホルダを形成するときに各ギア歯を簡単に一体形成させることができ、製作がより簡単になり部品点数を少なくすることができる。
【００２６】
請求項７に記載の考案では、ローラの回転によりテープの引き出し量を知るようにしたものであり、ローラの回転はテープの引き出し量そのものに応じて回転するものであるから正確にテープの引き出し量を知ることができる。
【００２７】
請求項８に記載の考案では、ローラとギアを一体形成させているので、樹脂などでローラを形成するときにギアも一体に形成するようにすれば、ローラとギアを別々に準備しなくてもよく、製作が簡単になり部品点数を少なくすることができる。
【００２８】
請求項９に記載の考案では、ローラとギア歯を一体形成させるに、ローラの外周を幅広のギア歯に形成しローラ部分とギア部分の機能が兼用できるように一体形成させているので、樹脂などでローラを形成するときにギア歯を簡単に一体形成させることができ、製作がより簡単になり部品点数を少なくすることができる。
【００２９】
請求項１０に記載の考案では、ローラの回転により第１ギアと第１ギアと異なるピッチのギア歯を供えた第２ギアを回転可能にし、第１ギアと第２ギアのギア歯に交替的にストッパーを接触させ揺動させることにより、２種類のテープ引き出し量を選択して筒からテープを引き出せることを可能にすることができる。
【００３０】
請求項１１に記載の考案では、第１ギアと第２ギアをローラに一体配置するものであるから、ローラと第１ギアと第２ギアを別々に準備しなくてもよく、製作が簡単になり部品点数を少なくすることができる。
【００３１】
請求項１２に記載の考案では、ローラと第１ギアの第１ギア歯と第２ギアの第２ギア歯を一体形成させるに、ローラの外周を幅広のギア歯に形成しホルダ部分とギア部分の機能が兼用できるように一体形成させているので、樹脂などでローラを形成するときに各ギア歯を簡単に一体形成させることができ、製作がより簡単になり部品点数を少なくすることができる。
【００３２】
請求項１３に記載の考案では、ローラの回転軸の回転に対してギアの回転軸が少なく回転するよう構成してあるので、ローラの回転軸に直接ギアを配置する場合に比較してギアのギア歯の磨耗を少なくでき耐久性の高いギア歯を形成させることができる。
【図面の簡単な説明】
【００３３】
【図１】本考案に係る第１実施形態のテープカッタ装置Ａの全体を図示し説明する正面図である。
【図２】図１の拡大側面図である。
【図３】図１のＸ−Ｘ断面の拡大図である。
【図４】本考案に係る第２実施形態のテープカッタ装置テープカッタ装置Ｂを説明する説明図である。
【図５】本考案に係る第３実施形態のテープカッタ装置テープカッタ装置Ｃを説明する説明図である。
【図６】本考案に係る第４実施形態のテープカッタ装置テープカッタ装置Ｄを説明する説明図である。
【図７】本考案に係る第５実施形態のテープカッタ装置テープカッタ装置Ｅを説明する説明図である。
【図８】本考案に係る第６実施形態のテープカッタ装置テープカッタ装置Ｆを説明する説明図である。
【図９】本考案に係る第７実施形態のテープカッタ装置テープカッタ装置Ｇを説明する説明図である。
【図１０】本考案に係る第８実施形態のテープカッタ装置Ｈの全体を図示説明する正面図ある。
【図１１】図１０の拡大側面図である。
【図１２】図１０のＹ−Ｙ断面の拡大図である。
【図１３】本考案に係る第９実施形態のテープカッタ装置テープカッタ装置Ｉを説明する説明図である。
【図１４】本考案に係る第１０実施形態のテープカッタ装置テープカッタ装置Ｊを説明する説明図である。
【図１５】本考案に係る第１１実施形態のテープカッタ装置テープカッタ装置Ｋを説明する説明図である。
【図１６】本考案に係る第１２実施形態のテープカッタ装置テープカッタ装置Ｌを説明する説明図である。
【図１７】本考案に係る第１３実施形態のテープカッタ装置テープカッタ装置Ｍを説明する説明図である。
【図１８】本考案に係る第１４実施形態のテープカッタ装置テープカッタ装置Ｎの全体を図示説明する正面図ある。
【図１９】図１８の拡大側面図である。
【図２０】図１８のＺ−Ｚ断面の拡大図である
【考案を実施するための形態】
【第１実施形態】
【００３４】
Ａは、本考案に係るテープカッタ装置であって、その第１実施形態を図１〜図３に図示し以下に説明する。図１は本考案に係るテープカッタ装置Ａの全体を図示する正面図で、図２は、図１の拡大側面図であり、図３は図１のＸ−Ｘ断面の拡大図である。
【００３５】
１は、テープであり、２は、テープを巻き取った筒である。３は、外形が円筒状で中心に軸４を設けており、外形を筒２の内径に嵌め込むようにしたテープホルダである。テープホルダ３の外形は、三角、四角、五角、等の多角形状であってもよく、多角形状の角部が筒２の内径を嵌め込ものであればよい。５は、基台で、５aは、基台５に立設させ軸４を上方から入れ込み回転可能に支持する支持部、５ｃは、筒２から引き出したテープ１の切断部分を保持する保持部５ｂを備え、テープ１を切断するカッタ刃である。６は、軸４にその中心を嵌め込んだギアであって、外周に等間隔のギア歯６aを備えている。
【００３６】
７は、基台５にその基端部を取付け、先端部を筒２よりテープ１を引き出すことによりテープホルダ３とともに回転するギア６のギア歯６aに接触させて揺動するストッパーであって、スプリング（板バネ）など可撓性部材で構成さている。ストッパー７は、可撓性部材であればよく、プラスチックなどの樹脂材で構成してもよい。ギア６の回転によりギア６のギア歯６aにストッパー７の先端部が接触して揺動するようにしてある。そしてストッパー７の先端部の揺動により、ストッパー７の先端部とギア歯６ａとの接触が開放され、次のギア歯６ａにストッパー７の先端部が衝突することにより衝突音が出る構造にしている。
【００３７】
ギア６の歯数は、次のようにして設定している。新品テープであれば外径が約８９ミリメートル、使い切ると約８３ミリメートルで、平均約８６ミリメートルで、外周が約２７０ミリメートルとなる。したがって、ギア６の歯数を２７個とすることにより、ギア６の１歯分の回転で約１０ミリメートルのテープ１の使用量となるようにギア６の歯数を設定してある。
【００３８】
このように構成されたテープカッタ装置Ａは、次のように作用する。テープ１の先端部を把持してテープ１を筒２から引き出し、ギア６を回転させ、ストッパー７の先端部とギア６のギア歯６ａとの接触により、ストッパー７を揺動させて、衝突音を出させる。この時ストッパー７とギア６から出る１回の衝突音により約１０ミリメートルテープ１を筒２から引き出したことになるから、衝突音の回数により所望の量だけテープ１を筒２から引き出すことができ、所望の量だけテープ１を筒２から引き出した時点で、カッタ刃５ｃでテープ１を切断すれば、所望の量だけテープ１を筒２から引き出すことができる。
【００３９】
上記実施形態では、ギア６の歯数を２７個としたが、この歯数を変更することで、ギア６の歯面とストッパー７による１回の衝突音あたりのテープ１の引き出量を変更することができる。このように、ギア６とストッパー７を設けることで、簡単にテープ１の引き出量を計測しながら、テープ１を引き出すことができるのである。
【第２実施形態】
【００４０】
上記第１実施形態では、ギア６をテープホルダ３の軸４にその中心を嵌め込んでテープホルダ３の回転によりギア６のギア歯６aを回転可能にしたが、テープホルダにギア６のギア歯６aを取付けた一体形成のものとしてもよい。この実施形態を第２実施形態のテープカッタ装置Ｂとして図４に図示し以下に説明する。第２実施形態では、第１実施形態のテープホルダとギアの構成のみが相違しているので、図３で図示した断面図に替えて図４に相違点を明確にした断面図で説明する。
【００４１】
３１は、テープホルダであって、その側面にギア６１を取付けて一体形成している点で第１実施形態と相違しており、ギア歯の歯数は第１実施形態と同じにしている。そして第１実施形態と同様に、ギア６１のギア歯６１ａにストッパー７を接触させて揺動させるように配置している。
【００４２】
このように構成された第２実施形態のテープカッタ装置Ｂは、第１実施形態テープカッタ装置Ａと同様にテープ１の先端部を把持してテープ１を筒２から引き出し、ギア６１を回転させ、ストッパー７の先端部とギア６１のギア歯６１ａとの接触により、ストッパー７を揺動させて、衝突音を出させる。この時ストッパー７とギア６１から出る１回の音により約１０ミリメートルテープ１を筒２から引き出したことになるから、音の回数により所望の量だけテープ１を筒２から引き出すことができ、所望の量だけテープ１を筒２から引き出した時点で、カッタ刃５ｃでテープ１を切断すれば、所望の量だけテープ１を筒２から引き出すことができる。
【００４３】
第２実施形態でもギア６１の歯数を変更することで、ギア６１とストッパー７による衝突音の回数によりテープ１の引き出量を変更することができる。このように、ギア６１とストッパー７を設けることで、簡単にテープ１の引き出量を計測しながら、テープ１を引き出すことができるのである。
【００４４】
特に、第２実施形態では、テープホルダ３１とギア６１を一体形成させているので、樹脂などでテープホルダ３１を形成するときにギアも一体に形成するようにすれば、別々に準備しなくてもよく、製作が簡単になり部品点数を少なくすることができる。
【第３実施形態】
【００４５】
上記第２実施形態では、テープホルダ３１とギア６１を一体形成させるようにしたが、テープホルダの外周部分とギアの外形部分を共通のギア歯にして一体形成するようにしてもよい。この実施形態を第３実施形態のテープカッタ装置Ｃとして図５に図示し以下に説明する。第３実施形態では、第２実施形態のテープホルダとギアの構成のみが相違しているので、図４で図示した断面図に替えて図５に相違点を明確にした断面図で説明する。
【００４６】
３２は、テープホルダであって、テープ１を巻き取った筒２をホルダするホルダ部分は幅広に形成され、そのホルダ部分にはギア歯６２ａが形成されている。すなわちテープホルダ３２は、その外周にホルダ部分ａとギア部分ｂの機能が兼用できるように一体形成している。そして第１実施形態や第２実施形態と同様に、ギア歯６２ａにストッパー７を接触させて揺動させるように配置している。
【００４７】
このように構成された第３実施形態のテープカッタ装置Ｃは、第１実施形態や第２実施形態のテープカッタ装置Ａ，Ｂと同様にテープ１の先端部を把持してテープ１を筒２から引き出し、テープホルダ３２を回転させ、ストッパー７の先端部とギア歯６２ａとの接触により、ストッパー７を揺動させて、衝突音を出させる。この時ストッパー７とギア歯６２ａから出る１回の衝突音により約１０ミリメートルテープ１を筒２から引き出したことになるから、衝突音の回数により所望の量だけテープ１を筒２から引き出すことができ、所望の量だけテープ１を筒２から引き出した時点で、カッタ刃５ｃでテープ１を切断すれば、所望の量だけテープ１を筒２から引き出すことができる。
【００４８】
第３実施形態でもギア歯６２ａの歯数を変更することで、ギア歯６２ａとストッパー７による衝突音の回数によりテープ１の引き出量を変更することができる。このように、テープホルダ３２にギア歯６２ａを設けると共にストッパー７を設けることで、簡単にテープ１の引き出量を計測しながら、テープ１を引き出すことができるのである。
【００４９】
特に、第３実施形態では、テープホルダ３２とギア歯６２ａを一体形成させるに、テープホルダ３２の外周部分にホルダ部分ａとギア部分ｂの機能が兼用できるように一体形成させているので、樹脂などでテープホルダ３２を形成するときにギア歯６２ａを簡単に一体形成させることができ、製作がより簡単になり部品点数を少なくすることができる。
【第４実施形態】
【００５０】
上記第１実施形態の説明では、軸４にギア６の中心を嵌め込んだものであるが、第４実施形態では、図６に第１図のＸ−Ｘ断面を図示するように、第１ギア６３と第２ギア６４の二つのギアを軸４に嵌め込んでおり、この点で相違している。以下この第４実施形態の形態をテープカッタ装置Ｄとして説明する。第１ギア６３は外周にギア６と同様の等間隔のギア歯６３aを備えている。第２ギア６４は、１３個の等間隔のギア歯６４ａを備えており、第２ギア６４のギア歯６４ａの１歯分の回転で約２０．８ミリメートルのテープ１の使用量となるように歯数を設定し、第１ギア６３と異なるピッチ間隔のギア歯としている。
【００５１】
７３は、ストッパーであって、基台１に基端部を起倒可能に取付け、起立時に先端部を第１ギア６３のギア歯６３aに接触させ、倒伏時に先端部を第１ギア６３のギア歯６３aと離間させるように配置している。７４は、ストッパーであって、基台１に基端部を起倒可能に取付け、起立時に先端部を第２ギア６４の歯６４aに接触させ、倒伏時に先端部を第２ギア６４のギア歯６４aと離間させるように配置している。そして、ストッパー７３を起立させて先端部を第１ギア６３のギア歯６３aに接触させる場合には、ストッパー７４を倒伏させて先端部を第２ギア６４のギア歯６４aと離間させようにし、逆にストッパー７３を倒伏させて先端部を第１ギア６３のギア歯６３aと離間させている場合には、ストッパー７４を起立させて先端部を第２ギア６４のギア歯６４aに接触させようにして交替的に使用するようにしてある。
【００５２】
ストッパー７３およびストッパー７４はスプリング（板バネ）など可撓性部材で構成さている。ストッパー７３およびストッパー７４は、可撓性部材であればよく、プラスチックなどの樹脂材で構成してもよい。ストッパー７３は、第１ギア６３ギアの回転により第１ギア６３のギア歯６３aにストッパー７３の先端部が接触して揺動するようにしてある。そしてストッパー７３の先端部の揺動により、ストッパー７３の先端部とギア歯６３ａとの接触が開放され、次のギア歯６３ａにストッパー７３の先端部が接触ることにより衝突音が出る構造にしている。同様にストッパー７４と第２ギア６４のギア歯６４aも同構造にしている。
【００５３】
このように構成された第４実施形態のテープカッタ装置Ｄでは次のように作用する。テープ１の引き出し量を約１０ミリメートルとする場合は、ストッパー７３を起立させ、ストッパー７４を倒伏させる。そして、テープ１の先端部を把持してテープ１を筒２から引き出し、第１ギア６３および第２ギア６４を回転させる。ストッパー７３の先端部と第１ギア６３のギア歯６３ａとの接触により、ストッパー７３を揺動させて、衝突音を出させる。この時ストッパー７３とギア６３のギア歯６３ａから出る１回の衝突音により約１０ミリメートルテープ１を筒２から引き出したことになる。衝突音の回数により所望の量だけテープ１を筒２から引き出すことができ、所望の量だけテープ１を筒２から引き出した時点で、カッタ刃５ｃでテープ１を切断すれば、所望の量だけテープ１を筒２から引き出すことができる。
【００５４】
次に、テープ１の引き出し量を約２０ミリメートルとする場合は、ストッパー７４を起立させ、ストッパー７３を倒伏させる。そして、テープ１の先端部を把持してテープ１を筒２から引き出し、第１ギア６３および第２ギア６４を回転させる。ストッパー７４の先端部と第２ギア６４のギア歯６４ａとの接触により、ストッパー７４を揺動させて衝突音を出させる。この時ストッパー７４と第２ギア６４のギア歯６４ａから出る１回の衝突音により約２０ミリメートルテープ１を筒２から引き出したことになる。衝突音の回数により所望の量だけテープ１を筒２から引き出すことができ、所望の量だけテープ１を筒２から引き出した時点で、カッタ刃５ｃでテープ１を切断すれば、所望の量だけテープ１を筒２から引き出すことができる。
【００５５】
このように、ストッパー７３およびストッパー７４を交替的に起倒させることで、ストッパーとギアのギア歯から出る１回の衝突音により約１０ミリメートルあるいは約２０ミリメートルのテープ１の量を筒２から引き出せるよう選択して使用することを可能にする。
【００５６】
上記第４実施形態では、異なるピッチの２個のギアと夫々のギアに対応した２個のストッパーを配置し交替的に使用するようにしたが、１個のストッパーを異なるピッチの２個のギアに夫々対応して交替的に配置するようにしてもよい。この時１個のストッパーを異なるピッチの２個のギアに対応してスライド移動して交替的に配置するようにしてもよい。
【００５７】
また上記第４実施形態では、異なるピッチの二つのギアと夫々のギアに対応した二つのストッパーを配置し交替的に使用するようにしたが、異なるピッチの３個以上のギアと夫々のギアに対応した３個以上のストッパーを配置し交替的に使用するようにしてもよい。更に、異なるピッチの３個以上のギアと夫々のギアに対応して１個のストッパーを異なるピッチの３個のギアに対応してスライド移動して交替的に配置するようにしてもよい。
【第５実施形態】
【００５８】
上記第４実施形態では、第１ギア６３と第２ギア６４の二つのギアを軸４に夫々別々に嵌め込んだものであるが、図７に図示する第５実施形態では、一つのギアに二つのギア歯を一体形成し軸４に嵌め込むようにしたものである。以下この第５実施形態の形態をテープカッタ装置Ｅとして説明する。すなわち、ギア６５に二つのギア歯を一体形成したもので、ギア６５の外周に異なるピッチのギア歯６５ａおよびギア歯６５ｂを配置するようにしたものである。この実施形態のストッパー７３およびストッパー７４は上記第４実施形態のように夫々のギア歯６５ａおよびギア歯６５ｂに対応して配置してある。
【００５９】
このように構成した第５実施形態のテープカッタ装置Ｅにおける作用については、上記第４実施形態と同様であるのでこの実施形態の説明は省略する。また、第４実施形態で説明したように、１個のストッパーを異なるピッチの２個のギアに夫々対応して交替的に配置するようにしてもよいし、１個のストッパーを異なるピッチの２個のギアに対応してスライド移動して交替的に配置するようにしてもよい。更に、ギア６５の外周に異なるピッチの３個以上の歯と夫々の歯に対応してストッパーを配置し交替的に対応あるいは、１個のストッパーを異なるピッチのギア歯に対応してスライド移動して交替的に配置するようにしてもよい。
【第６実施形態】
【００６０】
上記第５実施形態では、ギア６５をテープホルダ３の軸４にその中心を嵌め込んでテープホルダ３の回転によりギア６５の外周に異なるピッチのギア歯６５ａおよびギア歯６５ｂを回転可能にしたが、図８に図示するようにテープホルダ３１にギア６６を取付け、ギア６６の外周に異なるピッチのギア歯６６ａおよびギア歯６６ｂを配置したもので、この実施形態をテープカッタ装置Ｆとして以下に説明する。
【００６１】
第６実施形態のテープカッタ装置Ｆにおける作用については、上記第５実施形態と同様であるのでこの実施形態の説明は省略する。また、第５実施形態で説明したように、１個のストッパーを異なるピッチの２個のギアに夫々対応して交替的に配置するようにしてもよいし、１個のストッパーを異なるピッチの２個のギアに対応してスライド移動して交替的に配置するようにしてもよい。更に、ギア６６の外周に異なるピッチの３個以上のギアと夫々のギアに対応して配置したストッパーを異なるピッチの３個のギアに対応して交替的あるいは１個のストッパーをスライド移動して交替的に配置するようにしてもよい
【第７実施形態】
【００６２】
図５に図示し説明した第３実施形態では、テープホルダ３２にその外周部分にホルダ部分ａとギア部分ｂの機能が兼用できるように一体形成したものであり、第７実施形態では図９に図示するように、ホルダ部分ａとギア部分ｂの機能が兼用できるようにさせるのであるが、ギア部分ｂに二種類の異なるピッチのギア歯を配置したもので、この実施形態をテープカッタ装置Ｇとして以下に説明する。
【００６３】
すなわち、３３は、幅広に形成されたテープホルダであって、テープ１を巻き取った筒２をホルダするホルダ部分ａと、ギア歯部分ｂが形成され、ギア歯部分ｂには二種類の異なるピッチのギア歯６７ａ,ギア歯６７ｂが形成されている。そして各ギア歯６７ａ,ギア歯６７ｂに対応して同様のストッパー７３とストッパー７４を配置してある。
【００６４】
第７実施形態の作用については、上記第４〜６実施形態と同様であるのでこの実施形態の説明は省略する。また、第５実施形態で説明したように、１個のストッパーを異なるピッチの２個のギアに夫々対応して交替的に配置するようにしてもよし、１個のストッパーを異なるピッチの２個のギアに対応してスライド移動して交替的に配置するようにしてもよい。更に、テープホルダ３３に異なるピッチの３個以上のギアと夫々のギアに対応して配置したストッパーを異なるピッチの３個のギアに対応して交替的あるいは１個のストッパーを異なるピッチの３個のギアに対応してスライド移動して交替的に配置するようにしてもよい
【第８実施形態】
【００６５】
上記実施形態ではテープホルダの回転によりギアを回転可能に構成したものであるが、テープを巻き取った筒から引き出したテープを経過させることで回転するローラを配置したテープカッタ装置では、このローラの回転によりギアを回転可能に構成するようにしたものであっても同様に本考案を実施することができる。以下この実施形態を第８実施形態〜第１４実施形態として以下に説明する。
【００６６】
まず第８実施形態を図１０〜図１３に図示しカッタ装置Ｈとして説明する。図１０は本考案に係るテープカッタ装置Ｈの全体を図示する正面図で、図１１は、図１０の拡大側面図であり、図１２は図１０のＹ−Ｙ断面の拡大図である。カッタ装置Ｈは、上記実施形態で説明したカッタ装置Ａ〜Ｇとは、前記基台５に立設した支持部５ｄに軸８を回転可能に支持され、前記筒２から引き出したテープ1を経過させて回転させるローラ９を配置している点で相違している。また前記筒２から引き出したテープ1をローラ９に経過させる前に、上方からテープ１を押さえてローラ９の表面にテープ１を確実に接触させてローラ９を確実に回転させるようにした補助ローラ１０を支持部５ｄに回転可能に配置している。補助ローラ１０は、ローラ９の回転をサポートさせるために配置したものであるが、必ずしも配置しなくてもよい。
【００６７】
ローラ９の側方に、中心を軸８に挿入させたギア１１を配置しており、ローラ９の回転によりギア１１を回転させるようにしている。ギア１１の外周には等間隔のギア歯１１ａを備えている。そして基台５にその基端部を取付けギア歯１１ａにその先端部を接触させて揺動するストッパー１４を配置している。このストッパー１４は、これまで上記実施形態で説明してきたストッパーと同様なもので構成されている。
【００６８】
そしてローラ９の外周×ローラ９の回転量がテープ１の繰り出し量になり、ギア１１の回転によりギア歯１１ａに接触していたストッパー１４が揺動してストッパー１４の先端部とギア１１のギア歯１１ａとの接触により発する衝突音の数がローラ９の回転量に相当する。したがって、１回の衝突音に相当するテープ１の繰り出し量を予め計算しておけば、衝突音の回数により筒２から引き出したテープ１の量を知ることができる。
【００６９】
このように構成した第８実施形態のカッタ装置Ｈは、次のように作用する。筒２から引き出したテープ１は、ローラ９を経過させカッタ刃５ｃにてテープ１の切断部分を切断された状態にあり、テープ１は補助ローラ１０で上方を押さえられローラ９の表面にテープ１を確実に接触させてローラ９を確実に回転させるようにした状態にあるとする。テープ１の先端部を把持してテープ１を筒２から引き出すと、テープ１の引き出しに応じてローラ９が回転してギア１１が回転する。ギア１１のギア歯１１ａに接触していたストッパー１４が揺動してストッパー１４の先端部とギア１１のギア歯１１ａとの接触により衝突音を出させる。そして衝突音の回数により筒２から引き出したテープ１の量を知ることができ、所望の引き出し量になった時点でカッタ刃５ｂにテープ１を切断すれば、目的の引き出し量でテープ１を引き出すことができる。
【００７０】
第８実施形態のテープカッタ装置Ｈは、ローラ９の回転によりテープ１の引き出し量を知るようにしたものであり、ローラ９の回転はテープ１の引き出し量そのものに応じて回転するものであるから正確にテープ１の引き出し量を知ることができる。すなわち、上記第1実施形態〜第７実施形態のように、テープホルダの回転によりテープ１の引き出し量を知るようにしたものは、新品テープでの外径と使い切る直前の外径とはその径が相違していることから多少の誤差が生じるが、第８実施形態ではそのような誤差は生じないので正確にテープ１の引き出し量を知ることができる。
【第９実施形態】
【００７１】
第８実施形態のテープカッタ装置Ｈは、ローラ９とギア１１を軸８に配置したものであるが、図１３に図示する第９実施形態のテープカッタ装置Ｉではギア１２を軸８に配置せずに、ローラ９に一体的に配置したものである。このテープカッタ装置Ｉは、ローラ９にギア１２のギア歯１２ａを一体的に配置しただけで基本的には第８実施形態のカッタ装置Ｈと同じであるので詳細な説明は省略する。第９実施形態では、ローラ９とギア１２を一体形成させているので、樹脂などでローラ９を形成するときにギア１２も一体に形成するようにすれば、別々に準備しなくてもよく、製作が簡単になり部品点数を少なくすることができる。
【第１０実施形態】
【００７２】
図１４に図示する第１０実施形態のテープカッタ装置Ｊでは、ローラとギアを一体形成させた変形例で、ローラ１３を幅広に形成し、そのローラ部分の外周にギア歯１３ａを備えたもので、ギア歯１３ａの一部をローラ部１３ｂとし、ギア歯１３ａの一部をギア歯部１３ｃとするものである。すなわち、ローラ部１３ｂにはギア歯１３ａを備えたままローラとして使用するものである。ギア歯部１３ｃには、等間隔のギア歯１３ａを備えて基台５にその基端部を取付けギア歯１３ａにその先端部を接触させて揺動するストッパー１４を配置している。このストッパー１４は、これまで上記実施形態で説明してきたストッパーと同様なもので構成されている。
【００７３】
このように構成した第１０実施形態のテープカッタ装置Ｊは、次のように作用する。筒２から引き出したテープ１は、ローラ部１３ｂを経過させカッタ刃５ｃにてテープ１の先端を切断された状態にあり、テープ１は補助ローラ１０で上方を押さえられローラ部１３ｂの表面にテープ１を確実に接触させてローラ１３を確実に回転させるようにした状態にあるとする。テープ１の先端部を把持してテープ１を筒２から引き出すと、テープ１の引き出しに応じてローラ１３が回転してギア歯部１３ｃが回転する。ギア歯部１３ｃに接触していたストッパー１４が揺動してストッパー１４の先端部とギア歯部１３ｃとの接触により衝突音を出させる。そして衝突音の回数により筒２から引き出したテープ１の量を知ることができ、目的の引き出し量になった時点でカッタ刃５ｂにテープ１を切断すれば、所望の引き出し量でテープ１を引き出すことができる。
【００７４】
第１０実施形態のテープカッタ装置Ｊは、ローラ部１３ｂの回転によりテープ１の引き出し量を知るようにしたものであり、ローラ１３ｂの回転はテープ１の引き出し量そのものに応じて回転するものであるから正確にテープ１の引き出し量を知ることができる。すなわち、上記第1実施形態〜第７実施形態のように、テープホルダの回転によりテープ１の引き出し量を知るようにしたものは、新品テープでの外径と使い切る直前の外径とはその径が相違していることから多少の誤差が生じるが、第１０実施形態でもそのような誤差は生じないので正確にテープ１の引き出し量を知ることができる。
【第１１実施形態〜第１３実施形態】
【００７５】
上記第８実施形態〜第１０実施形態では、ローラの回転により１個のギア歯を回転可能に構成するようにしたものであるが、複数のギア歯を回転させるようにして、引き出し量の検出値を変更するようにしてもよい。以下この実施形態を第１１実施形態〜第１３実施形態として図１５〜図１７に図示するが、第４実施形態〜第７実施形態として図６〜図９に図示し詳細に説明したテープホルダの回転により複数のギア歯を回転可能に構成するようにしたものと、同様に作用するのでここでは説明は省略する。
【第１４実施形態】
【００７６】
上記実施形態では、ローラの回転軸に備えたギア歯でテープの引き出し量を検出するようにしたが、ローラの回転軸とは別の回転軸にギアを備え、ローラの回転軸の回転を別の回転軸に回転伝達手段で伝達させ、別の回転軸に備えたギアのギア歯で検出するようにしてもよい。この実施形態を第１４実施形態として図１８〜図２０に図示しテープカッタ装置Ｎとして説明する。図１８は本考案に係るテープカッタ装置Ｎの全体を図示する正面図で、図１９は、図１８の拡大側面図であり、図２０は図１８のＺ−Ｚ断面の拡大図である。
【００７７】
図１８〜図２０に図示する第１４実施形態では、支持部５ｄに図１０〜図１２に図示し第８実施形態で説明したローラ９に備えた回転軸８とは別の回転軸８ｂを配置し、回転軸８ｂにギア１７を備え、ギア１７は、ローラ９の回転軸８に配置したギア１１のギア歯１１ａに噛み合うギア歯１７ａを備え、ローラ９を備えた回転軸８の回転を回転軸８ｂに伝達させるようにしている。ギア１１とギア１７は、すなわち、ローラ９の回転軸８の回転を回転軸８ｂに伝達させる回転伝達手段１９としているものである。
【００７８】
ストッパー１８は、スプリング（板バネ）など可撓性部材で構成し、基台５にその基端部を取付け、先端部をギア歯１７ａに接触させ、ギア１７の回転により揺動させ、先端部の揺動によりストッパー１８の先端部とギア歯１７ａとの接触が開放され、次のギア歯１７ａにストッパー１８の先端部が衝突することにより衝突音が出る構造にしている。ストッパー１８は、可撓性部材であればよく、プラスチックなどの樹脂材で構成してもよい。
【００７９】
ギア１７の径はギア１１の径より大きくして、ギア歯１７ａの歯数は、ギア歯１１ａの歯数の数倍となるようにしている。したがって、ギア１１の数回転でギア１７を１回転させるものである。このようにすることで、直接ギア歯１１ａにストッパー１８を接触させるようにしたものに比較して、ストッパー１８とギア歯１７ａの接触回数を減らすことができ、その分ギア歯１７ａの磨耗を少なくすることができ、耐久性の高いギア歯１７ａを形成させることができる。
【００８０】
このように構成した第１４実施形態のテープカッタ装置Ｎの作用も、テープ１の引き出しに応じてローラ９が回転してギア１１が回転する。ギア１１のギア歯１１ａに噛み合ったギア歯１７ａによりギア１７が回転し、ギア歯１７ａに接触していたストッパー１８が揺動してストッパー１８の先端部とギア１７のギア歯１７ａとの接触により衝突音を出させる。そして衝突音の回数により筒２から引き出したテープ１の量を知ることができ、所望の引き出し量になった時点でカッタ刃５ｂにテープ１を切断すれば、所望の引き出し量でテープ１を引き出すことができる。
【００８１】
第１４実施形態のテープカッタ装置Ｎも、ローラ９の回転によりテープ１の引き出し量を知るようにしたものであり、ローラ９の回転はテープ１の引き出し量そのものに応じて回転し、ギア１７を回転させるものであるから正確にテープ１の引き出し量を知ることができる。
【００８２】
次に、第１４実施形態では、ローラ９の回転軸８とは別の回転軸８ｂにギア１７を備え、ローラ９の回転軸８の回転を別の回転軸８ｂに回転伝達手段１９で伝達させ、別の回転軸８ｂに備えたギア１７のギア歯１７aで検出するようにしたが、回転軸８ｂに第２ギア１８を嵌め込み第２ギア１８に異なるピッチ間隔のギア歯１８ａを配置し、ストッパー１８を両ギア歯に交替的に接触させるようにしてもよい。この場合の実施形態の図示および作用の説明は、これまでに説明してきた実施形態から容易に類推できるのでここでは説明を省略する。
【００８３】
また、上記第１４実施形態では、ギア１１とギア１７で回転伝達手段１９を構成し、ギア１７のギア歯１７aにストッパー１８を接触させるようにしたが、ベルト、チェーンなどを利用した回転伝達手段を用い、これらの回転伝達手段で回転する軸にストッパー１８に接触させるギアを配置するようにしてもよい。
【００８４】
更に、上記第１４実施形態では、異なるピッチの二つのギアと夫々のギアに対応してストッパーを配置し交替的に使用するようにしたが、異なるピッチの３個以上のギアと夫々のギアに対応した３個以上のストッパーを配置し交替的に使用するようにしてもよい。更に、異なるピッチの３個以上のギアと夫々のギアに対応して１個のストッパーを異なるピッチの３個以上のギアに対応してスライド移動して交替的に配置するようにしてもよい。
【符号の説明】
【００８５】
Ａ  テープカッタ装置
Ｂ  テープカッタ装置
Ｃ  テープカッタ装置
Ｄ  テープカッタ装置
Ｅ  テープカッタ装置
Ｆ  テープカッタ装置
Ｇ  テープカッタ装置
Ｈ  テープカッタ装置
Ｉ  テープカッタ装置
Ｊ  テープカッタ装置
Ｋ  テープカッタ装置
Ｌ  テープカッタ装置
Ｍ  テープカッタ装置
Ｎ  テープカッタ装置
ａ  ホルダ部分
ｂ  ギア部分
１  テープ
２  筒
３  テープホルダ
４  軸
５  基台
５ａ  支持部
５ｂ  保持部
５ｃ  カッタ刃
５ｄ  支持部
６  ギア
６a  ギア歯
７  ストッパー
８  軸
８ａ  軸
８ｂ  軸
９  ローラ
１０  補助ローラ
１１  ギア
１１ａ  ギア歯
１２  ギア
１２ａ  ギア歯
１３  ローラ
１３ａ  ギア歯
１３ｂ  ローラ部
１３ｃ  ギア歯部
１４  ストッパー
１４ｃ  ギア歯部
１４ｄ  ギア歯部
１５  ギア
１５ａ  ギア歯
１６  ストッパー
１７  ギア
１７ａ  ギア歯
１８  ストッパー
１９  回転伝達手段
３１  テープホルダ
３２  テープホルダ
３３  テープホルダ
６１  ギア
６１a  ギア歯
６２a  ギア歯
６３  第１ギア
６４  第２ギア
６３a  ギア歯
６４a  ギア歯
６５  ギア
６５a  ギア歯
６５ｂ  ギア歯
６６  ギア
６６a  ギア歯
６６ｂ  ギア歯
６７a  ギア歯
６７ｂ  ギア歯
７３  ストッパー
７４  ストッパー
【図１】
0003175682.tif 000003
【図２】
0003175682.tif 000004
【図３】
0003175682.tif 000005
【図４】
0003175682.tif 000006
【図５】
0003175682.tif 000007
【図６】
0003175682.tif 000008
【図７】
0003175682.tif 000009
【図８】
0003175682.tif 000010
【図９】
0003175682.tif 000011
【図１０】
0003175682.tif 000012
【図１１】
0003175682.tif 000013
【図１２】
0003175682.tif 000014
【図１３】
0003175682.tif 000015
【図１４】
0003175682.tif 000016
【図１５】
0003175682.tif 000017
【図１６】
0003175682.tif 000018
【図１７】
0003175682.tif 000019
【図１８】
0003175682.tif 000020
【図１９】
0003175682.tif 000021
【図２０】
0003175682.tif 000022